(57)【要約】【課題】  被測定者の拍動のゆらぎを改善する。【解決手段】  心拍ゆらぎ検出装置における情報処理方法であって、被測定者の拍動を検出することで得られたローレンツプロットデータのばらつきと、前記被測定者の体温とに基づいて、前記被測定者の交感神経と副交感神経とのバランスと該バランスの継続状況とを判定する工程（ステップＳ４０４）と、前記判定結果に応じて、前記被測定者の交感神経と副交感神経とのバランスを改善するための動作が記録された動画像を表示する工程（ステップＳ４０８）とを備える。【選択図】  図４
2008067860.tif 000002
【特許請求の範囲】
【請求項１】
被測定者の拍動を検出し、拍動間隔を抽出する抽出手段と、
前記抽出手段により抽出された拍動間隔に基づいて、時間領域解析を行う解析手段と、
前記解析手段による解析結果と、前記被測定者の交感神経と副交感神経とのバランスと、該バランスの継続状況とを判定する判定手段と、
前記被測定者の交感神経と副交感神経とのバランスを改善するための呼吸動作が記録された複数の動画像を保持する保持手段と、
前記判定手段における判定結果に応じて、前記複数の動画像を切り替えて呼吸動作を表示する表示手段と
を備えることを特徴とする心拍ゆらぎ検出装置。
【請求項２】
被測定者の拍動を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記座標データのばらつきを算出するばらつき算出手段と、
前記算出されたばらつきと、前記被測定者の交感神経と副交感神経とのバランスと該バランスの継続状況とを判定する判定手段と、
前記被測定者の交感神経と副交感神経とのバランスを改善するための呼吸動作が記録された複数の動画像を保持する保持手段と、
前記判定手段における判定結果に応じて、前記複数の動画像を切り替えて呼吸動作を表示する表示手段と
を備えることを特徴とする心拍ゆらぎ検出装置。
【請求項３】
前記判定手段は、前記算出されたばらつきが所定のばらつき閾値よりも大きく、かつ、生体情報検出手段により検出された生体情報が所定の閾値よりも大きい場合、前記被測定者は、副交感神経が優位な状態が適度に継続していると判定することを特徴とする請求項２に記載の心拍ゆらぎ検出装置。
【請求項４】
前記判定手段は、前記算出されたばらつきが所定のばらつき閾値よりも大きく、かつ、前記検出された生体情報としての体温が所定の体温閾値よりも小さい場合、前記被測定者は、副交感神経が優位な状態が継続している時間が長いと判定することを特徴とする請求項２に記載の心拍ゆらぎ検出装置。
【請求項５】
前記判定手段は、前記算出されたばらつきが所定のばらつき閾値よりも小さく、かつ、前記検出された生体情報としての体温が所定の体温閾値よりも大きい場合、前記被測定者は、交感神経が優位な状態が適度に継続していると判定することを特徴とする請求項２に記載の心拍ゆらぎ検出装置。
【請求項６】
前記判定手段は、前記算出されたばらつきが所定のばらつき閾値よりも小さく、かつ、前記検出された体温が所定の体温閾値よりも小さい場合、前記被測定者は、交感神経が優位な状態が継続している時間が長いと判定することを特徴とする請求項２に記載の心拍ゆらぎ検出装置。
【請求項７】
更に心地よさ度算出手段を備え、前記心地よさ度算出手段は、所定の係数Ａ、Ｂ、Ｃ、Ｄを用いて、Ａ×（単位時間あたりの拍動数）＋Ｂ×ばらつき＋Ｃ×脳波＋Ｄを計算することにより心地よさ度を算出することを特徴とする請求項１乃至６のいずれか１項に記載の心拍ゆらぎ検出装置。
【請求項８】
被測定者の拍動を検出し、拍動間隔を抽出する抽出工程と、
前記抽出工程により抽出された拍動間隔に基づいて、時間領域解析を行う解析工程と、
前記被測定者の生体情報を検出する検出工程と、
前記解析工程による解析結果と、前記検出された生体情報とに基づいて、前記被測定者の交感神経と副交感神経とのバランスと、該バランスの継続状況とを判定する判定工程と、
前記被測定者の交感神経と副交感神経とのバランスを改善するための呼吸動作が記録された複数の動画像を保持する保持工程と、
前記判定工程における判定結果に応じて、前記複数の動画像を切り替えて呼吸動作を表示する表示工程と
を備えることを特徴とする心拍ゆらぎ検出装置における情報処理方法。
【請求項９】
請求項８に記載の情報処理方法をコンピュータによって実現させるための制御プログラム。
【発明の詳細な説明】
【技術分野】
【０００１】
本発明は、心電波形や脈拍等の生体信号に基づいて拍動のゆらぎを可視化する技術に関するものである。
【背景技術】
【０００２】
従来より、交感神経と副交感神経の亢進状態の評価方法として、ローレンツプロットが知られている。一般に交感神経と副交感神経とはバランスがとれていることが重要であり、交感神経と副交感神経とのバランスの乱れは拍動（心拍）のゆらぎに影響を及ぼす。
【０００３】
ローレンツプロットとは、この拍動のゆらぎを、心電波形や脈拍等の生体信号に基づいて可視化したものであり、広く知られている。
【０００４】
図２３、図２４は、心電波形に基づいてローレンツプロットを生成する方法を示した図である。図２３の２３０１に示すような心電波形が収集されると、まず、Ｒ波の位置が同定され、Ｒ−Ｒ間隔が算出される。Ｒ波とは心電波形のピーク部分をいい、Ｒ−Ｒ間隔とはＲ波のｎ拍目（ｎは任意の整数）とｎ＋１拍目の心拍間隔をいう。図２３の例では、Ｒ波の位置はそれぞれ、Ｒ１、Ｒ２、Ｒ３、Ｒ４と同定され、Ｒ−Ｒ間隔はそれぞれＴ２１、Ｔ３２、Ｔ４３と算出される。
【０００５】
そして、当該算出されたＲ−Ｒ間隔に基づいて、図２４に示す２次元グラフ領域に、Ｔ２１を横軸に、Ｔ３２を縦軸にプロットする。更に、Ｔ３２を横軸に、Ｔ４３を縦軸にプロットする。このような処理を、連続するＲ−Ｒ間隔に対して順次行うことで、ローレンツプロットが生成される。図２５は、生成されたローレンツプロットの一例を示す図であり、（ａ）は一般にバランスがとれた良好な状態を示しており、（ｂ）、（ｃ）はバランスがとれていない状態を示している（（ｂ）はストレス・疾患パターンを、（ｃ）は不整脈パターンをそれぞれ示している）。
【０００６】
このような方法により生成されるローレンツプロットを応用した技術として、本願出願人は、これまでいくつかの提案を行っている。例えば、下記特許文献１では、当該ローレンツプロットを心電波形の測定と並行してリアルタイムに表示させることで、被測定者がその場で拍動のゆらぎを把握できるリアルタイム拍動モニタを提案している。
【０００７】
また、下記特許文献２では、表示された被測定者のローレンツプロットに対して、被測定者の特徴情報（年齢と性別）に対応する平均的なローレンツプロットの分布領域を重畳して表示させることで、被測定者が拍動のゆらぎを対比して判断できるようにした心拍間隔表示装置を提案している。
【特許文献１】特開２００１−２１２０９５号公報
【特許文献２】特開２００１−２１２０８９号公報
【発明の開示】
【発明が解決しようとする課題】
【０００８】
しかしながら、上記特許文献１及び２の場合、拍動のゆらぎを把握し、自身の健康状態を確認することはできるが、拍動のゆらぎが良好でなかった場合に、被測定者にとっては、どのようにして改善したらよいのかがわからないといった問題がある。むやみに運動したりするとかえって交感神経と副交感神経のバランスが乱れ、拍動のゆらぎが悪化することも考えられる。
【０００９】
本発明は、上記課題に鑑みてなされたものであり、検出された拍動に基づいて得られた時間領域解析結果を表示する装置であって、被測定者の拍動のゆらぎを改善させるための機能を備えた装置を提供することを目的とする。
【課題を解決するための手段】
【００１０】
上記の目的を達成するために本発明に係る心拍ゆらぎ検出装置は以下のような構成を備える。即ち、
被測定者の拍動を検出し、拍動間隔を抽出する抽出手段と、
前記抽出手段により抽出された拍動間隔に基づいて、時間領域解析を行う解析手段と、
前記解析手段による解析結果と、前記被測定者の交感神経と副交感神経とのバランスと、該バランスの継続状況とを判定する判定手段と、
前記被測定者の交感神経と副交感神経とのバランスを改善するための呼吸動作が記録された複数の動画像を保持する保持手段と、
前記判定手段における判定結果に応じて、前記複数の動画像を切り替えて呼吸動作を表示する表示手段とを備える。
【００１１】
また、本発明に係る他の心拍ゆらぎ検出装置は以下のような構成を備える。
【００１２】
被測定者の拍動を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記座標データのばらつきを算出するばらつき算出手段と、
前記算出されたばらつきと、前記被測定者の交感神経と副交感神経とのバランスと該バランスの継続状況とを判定する判定手段と、
前記被測定者の交感神経と副交感神経とのバランスを改善するための呼吸動作が記録された複数の動画像を保持する保持手段と、
前記判定手段における判定結果に応じて、前記複数の動画像を切り替えて呼吸動作を表示する表示手段とを備える。
【発明の効果】
【００１３】
本発明によれば、検出された拍動に基づいて得られた時間領域解析結果を表示する表示する装置であって、被測定者の拍動のゆらぎを改善させるための機能を備えた装置を提供することが可能となる。
【発明を実施するための最良の形態】
【００１４】
以下、必要に応じて添付図面を参照しながら本発明の各実施形態を詳細に説明する。なお、以下の各実施形態で説明する心拍ゆらぎ検出装置は、時間領域解析の幾何学的図形解析法の１つであるローレンツプロットを表示する装置として説明するが、本発明は以下に記載の実施形態に限定されるものではない。例えば、他の心拍変動指標として、時間領域解析の幾何学的図形解析法の１つであるトライアングルインデックスや、時間／領域解析であるＳＤＮＮ、ＳＤＡＮＮ、ｒ−ＭＳＳＤ、ＲＲ５０（ＮＮ５０）、ｐＮＮ５０（φ0ＮＮ５０）、ＣＶＲＲ等を表示する装置にも適用可能である。
【００１５】
［第１の実施形態］
１．装置の外観構成
図１は、本発明の第１の実施形態にかかる心拍ゆらぎ検出装置の外観構成を示す図である。同図において、１０１はハウジングであり、内部の電子機器を覆うとともに、装置の外形を形成する。ハウジング１０１の一部分（１０２に示す部分）には、拍動を検出するための電極が埋め込まれており、被測定者が１０２に示す部分に身体の適所、例えば手のひらを当てることにより、被測定者の拍動を検出することができる。
【００１６】
１０３は表示／操作部であり、検出された拍動に基づいて時間領域解析法で得られるデータの１つとしてのローレンツプロットを表示すると共に、被測定者による各種操作を受け付ける。
【００１７】
なお、図１には示されていないが、本実施形態にかかる心拍ゆらぎ検出装置には、被測定者の生体情報（体温、血圧等）を検出する生体情報検出手段が接続できるように構成されているものとする。以下、生体情報として体温に基づき説明するが、血圧についても同様に適用できる。
【００１８】
２．装置の機能構成
図２は、本発明の第１の実施形態にかかる心拍ゆらぎ検出装置の機能構成を示す図である（生体情報検出手段としての体温計が接続された場合の機能構成を示している）。同図において、２０１はクロック部であり、クロック信号を発振し、ＣＰＵ２０２に供給する。２０２はＣＰＵであり、クロック部２０１より発振されたクロック信号に基づいて動作する。２０３はＲＡＭであり、ＣＰＵ２０２において処理されるプログラムのワークエリアとして機能するとともに、プログラム処理時にデータ等を一時的に記憶する記憶手段としても機能する。２０４はＲＯＭであり、ＣＰＵ２０２にて処理されるプログラムが格納されている。
【００１９】
２０５は表示／操作部であり、ＣＰＵ２０２において処理された処理結果を表示するとともに、被測定者からの指示入力を受け付ける。２０６は電極であり、被測定者の拍動を検出し、電気信号を出力する。２０７はアンプであり、電極２０６より出力された電気信号を増幅するとともに、デジタル信号（以下、心拍測定データ）に変換する。
【００２０】
２０８は生体情報検出手段としての体温計であり、被測定者の体温を検出し、電気信号を出力する。２０９はアンプであり、体温計２０８より出力された電気信号を増幅するとともに、デジタル信号（以下、体温測定データ）に変換する。
【００２１】
２１０はデータ記録部であり、ＣＰＵ２０２において心拍測定データを処理することにより得られた算出データならびに体温測定データ、および表示／操作部２０５を介して被測定者が設定した被測定者に関する情報（設定データ：例えば、年齢、性別）等を記録する。
【００２２】
ＲＯＭ２０４に格納されたプログラムにより実現される機能を２２１から２２９に示す。２２１は心拍検出処理部であり、アンプ２０７より出力された心拍測定データを受信する。２２２は心拍間隔検出処理部であり、受信した心拍測定データに基づいて、心拍波形のＲ波を同定したのち、各Ｒ−Ｒ間隔を算出し、ローレンツプロットデータ（２次元グラフ領域にローレンツプロットを表示するための座標データ）を生成する。また、所定時間、例えば１分間あたりの心拍数を算出する。更に、測定が完了した際には、ゆらぎ度および目標達成度を算出する。なお、ゆらぎ度とは、２次元グラフ領域の分布領域の大きさ（本実施形態にかかる心拍ゆらぎ検出装置にあっては、ローレンツプロットデータのばらつき）のことをいうものとする。また、目標達成度とは、被測定者に関する情報（年齢、性別）に対応する平均的なローレンツプロットの分布領域の大きさに対する、生成されたローレンツプロットの分布領域の大きさの割合をいう。
【００２３】
２２３は表示処理部であり、測定開始時においては、被測定者により予め入力された設定データを表示／操作部２０５上に表示する。また、測定中は、心拍間隔検出処理部２２２において生成されたローレンツプロットデータに基づいて、表示／操作部２０５上にローレンツプロットを表示するとともに、心拍波形のＲ波のタイミングに合わせて、文字、記号、シンボルマーク等で表示される心拍検出マーク（後述）を点滅させ、更に心拍数を表示する。更に、測定完了時には、算出されたゆらぎ度および目標達成度を表示する。また、後述する体温入力処理部において受信された体温測定データを表示する。更に、測定された体温測定データおよび算出されたゆらぎ度を用いて判定された被測定者の健康状態に応じて、被測定者の交感神経と副交感神経とのバランスを改善するための呼吸方法を記録した動画像を表示する。更に、後述するトレンド処理部により抽出されたゆらぎ度をトレンドグラフとして表示する。
【００２４】
２２４はデータ記録処理部であり、算出されたローレンツプロットデータ、ゆらぎ度、目標達成度、および入力された設定データのほか、体温測定データ等を、データ記録部２１０に記録する。
【００２５】
２２５はトレンド処理部であり、データ記録部２１０に記録された過去のゆらぎ度および体温測定データを抽出し時系列に配列する。なお、特定の設定データと対応づけられたゆらぎ度及び体温測定データのみを抽出したうえで、時系列に配列することも可能である。なお、ゆらぎ度を昇順、降順、頻度順、日付毎等、任意に選択して配列することも可能である。
【００２６】
２２６はユーザ入力処理部であり、表示／操作部２０５を介して入力された設定データを受信する。２２７は体温入力処理部であり、アンプ２０９より出力された体温測定データを受信する。
【００２７】
２２８は判定処理部であり、算出されたゆらぎ度および体温測定データに基づいて、被測定者の健康状態を判定する。２２９は、判定処理部２２８において判定された被測定者の健康状態に応じた複数の動画像であり、被測定者の交感神経と副交感神経とのバランスを改善するための最適な呼吸方法がそれぞれ記録されている。
【００２８】
３．装置における画面構成
図３は、表示／操作部２０５の画面例を示す図である（なお、画面は液晶画面のほか、視認性の高い有機ＥＬなどを用いても良い）。３０１はデータ表示部であり、表示処理部２２３が各種データを表示する。図３の例では、ローレンツプロットを表示するための画面が図示されており、横軸および縦軸の単位はｍｓｅｃである。３０９、３１０はそれぞれデータ表示部３０１をスクロールするためのスクロールバーである。３０５は、カーソル、スクロールバーを任意に移動させるための十字キーである。
【００２９】
３０２は測定ボタンであり、被測定者が測定ボタン３０２を押下することにより、測定を開始する。
【００３０】
３０３はトレンド表示ボタンであり、データ表示部３０１上にゆらぎ度のトレンドグラフを表示する。３０４はトレンド表示終了ボタンであり、データ表示部３０１上のトレンドグラフの表示を終了させ、ローレンツプロットの表示に戻す。
【００３１】
４．装置における処理の流れ（全体）
図４は、本発明の第１の実施形態にかかる心拍ゆらぎ検出装置における全体処理の流れを示すフローチャートである。ステップＳ４０１において装置の電源が投入されると、ステップＳ４０２では、表示／操作部２０５に初期画面（例えば、図３に示す画面）が表示される。
【００３２】
ステップＳ４０３では、被測定者によりどのような操作が行われたのかを判定する。被測定者により測定ボタン３０２が押下されたと判定された場合には、ステップＳ４０４に進み、測定処理を実行する（測定処理の詳細は、後述）。一方、被測定者によりトレンド表示ボタン３０３が押下されたと判定された場合には、ステップＳ４０９に進み、トレンド表示処理を実行する（トレンド表示処理の詳細は、後述）。
【００３３】
ステップＳ４０４における測定処理が終了すると、ステップＳ４０５に進み、算出されたローレンツプロットデータ等をデータ記録部２１０に保存するか否かを判定する。被測定者より保存指示が入力された場合には、ステップＳ４０６に進み、ローレンツプロットデータ等の保存処理（保存処理の詳細は後述）を行う。
【００３４】
ステップＳ４０５において保存指示が入力されなかったと判定された場合、またはステップＳ４０６においてローレンツプロットデータ等の保存処理が終了した場合には、ステップＳ４０７に進む。
【００３５】
ステップＳ４０７では、動画表示を行うか否かを判定する。被測定者より動画表示指示が入力された場合には、ステップＳ４０８に進み、動画表示（動画表示処理の詳細は後述）を行った後、ステップＳ４１０に進む。
【００３６】
ステップＳ４１０では、電源ＯＦＦ操作がなされたか否かを判定し、電源ＯＦＦ操作がなされていなければ、ステップＳ４０３に戻り、上記処理を繰り返す。
【００３７】
一方、ステップＳ４０８において電源ＯＦＦ操作がなされた場合には、処理を終了する。
【００３８】
５．測定処理（ステップＳ４０４）の詳細
図５Ａ〜図９を用いて、測定処理（ステップＳ４０４）の詳細について説明する。図５Ａは、測定処理（ステップＳ４０４）の流れを示すフローチャートである。
【００３９】
測定ボタン３０２が押下され測定処理が起動すると、ステップＳ５０１では、データ表示部３０１に設定データ入力画面を表示し、設定データが入力されたか否かを判定する。
【００４０】
例えば、図６はデータ表示部３０１に設定データ入力画面６０１が表示された様子を示す図である。同図に示すように、本実施形態の場合、例えば、測定に際してはデフォルトされた項目（ここでは６０２〜６０６の５項目）について被測定者が設定データを入力する構成となっている。
【００４１】
６０２は被測定者の年齢、性別を選択する項目である（被測定者の年齢、性別が選択されることで、該年齢、性別に対応する平均的なローレンツプロットの分布領域を呼び出すことができる）。６０３は被測定者の現在の状況を選択する項目である。６０４および６０５は被測定者の主観に基づく被測定者自身の自覚症状についての情報を入力する項目である。具体的には、６０４は被測定者の現在の精神状態に関する情報を入力する項目である。６０５は被測定者の現在の体調（肉体的状態）に関する情報を入力する項目である。６０６は、被測定者が現在服薬している薬に関する情報を入力する項目である。
【００４２】
６０７は設定ボタンであり、当該設定ボタン６０７が押下されると、設定項目６０２から６０６の設定データを設定したのち、設定データ入力画面６０１を閉じる。６０８はキャンセルボタンであり、当該キャンセルボタン６０８が押下されると設定項目６０２から６０６の設定データを設定することなく、設定データ入力画面６０１を閉じる。設定ボタン６０７が押下されると、ステップＳ５０１において設定データが入力されたと判断し、ステップＳ５０２に進む。一方、キャンセルボタン６０８が押下されると処理を終了する。
【００４３】
ステップＳ５０２では、閾値ａ、ｂを設定する。なお、閾値ａ、ｂの設定処理の詳細な流れは後述する。
【００４４】
ステップＳ５０２での処理が終わると、図７に示すように測定開始指示入力画面７０１が表示され、測定を開始するか否かを判定する。
【００４５】
開始ボタン７０２が押下された場合には、測定開始指示入力画面７０１を閉じ、測定（心拍、体温）を開始する（ステップＳ５０３において“Ｙｅｓ”）。一方、キャンセルボタン７０３が押下された場合には、測定開始指示入力画面７０１を閉じ、処理を終了する（ステップＳ５０３において“Ｎｏ”）。
【００４６】
ステップＳ５０３において測定が開始されると、ステップＳ５０４では、設定データ等の表示を行う。図８は、測定が開始された後のデータ表示部３０１の一例を示す図である。
【００４７】
同図において、８０１は心拍検出マークであり、心拍検出処理部２２１において受信された心拍測定データのＲ波に合わせて点滅する。８０２は心拍数表示欄（１分間あたりの心拍の数を表示する欄）である。８０３は現在の日時を表示する欄である。更に、８０６の目標設定欄には設定データ入力画面６０１において被測定者が選択した被測定者の年齢または年齢と性別が表示される（ただし、年齢、性別は表示されなくても良い）。８０４は選択された被測定者の年齢、性別に対応する平均的なローレンツプロットの分布領域を示したものである。
【００４８】
ステップＳ５０５では、心拍検出処理部２２１が心拍測定データを受信する。また体温入力処理部２２７が体温測定データを受信する。
【００４９】
ステップＳ５０６では、心拍検出処理部２１１で受信した心拍測定データに基づいて、心拍検出マーク８０１を点滅させるとともに、心拍数表示欄８０２に、心拍数をリアルタイム表示する。
【００５０】
ステップＳ５０７では、ローレンツプロットを行う。図８の８０５はローレンツプロットの一例である。ステップＳ５０８では、測定が開始されてから所定時間経過したか否かを判定する。所定時間経過していなければ、ステップＳ５０５に戻る。一方、所定時間経過していれば、ステップＳ５０９に進む。なお、所定時間経過するまでの経過を、データ表示部３０１の任意の位置に表示（セグメント表示などで、カウントダウン表示またはカウントアップ表示）したり、ペット、子供、風景、キャラクタなどを任意に選択して順次画像等を完成させるような画面表示を行ったりしてもよい。また、所定時間経過するまでにローレンツプロットを順次表示することとしたが、所定時間経過後、全てのローレンツプロットを同時に表示するようにしても良い。
【００５１】
ステップＳ５０９では、今回測定時の全てのローレンツプロットデータに基づいて、目標達成度及びゆらぎ度を算出し、表示する。好ましくは、更にステップＳ５１０では、ローレンツプロットデータの分布領域を示す線を表示する。これにより被測定者に関する情報（年齢、性別）に対応する平均的なローレンツプロットの分布領域の大きさと容易に比較することができる。
【００５２】
ステップＳ５１１では、体温測定データをデータ表示部３０１に表示する。更に、ステップＳ５１２では、ステップＳ５０９にて算出されたゆらぎ度と、ステップＳ５０５にて受信された体温測定データとに基づいて、被測定者の状態を判定する（なお、判定処理の詳細は後述）。また、判定した被測定者の状態に対応するメッセージをデータ表示部３０１に表示する。
【００５３】
図９は、ローレンツプロットデータの分布領域を示す線９０１と、目標達成度９０２、ゆらぎ度９０３、体温９０４、メッセージ９０５が表示された様子を示す図である。
【００５４】
５．１  閾値ａ、ｂ設定処理（ステップＳ５０２）の詳細
上記閾値ａ、ｂ設定処理（ステップＳ５０２）の詳細について図５Ｂを用いて説明する。ステップＳ５２１では、すでに測定されデータ記録部２１０に記録済みの過去のゆらぎ度を全て読み出す。ステップＳ５２２では、ステップＳ５２１にて読み出された過去のゆらぎ度の平均値Ａｖｇを算出する。ステップＳ５２３では、算出されたＡｖｇをゆらぎ度の閾値ａに設定する。
【００５５】
ステップＳ５２４では、データ記録部２１０に予め記録されている体温の閾値（理想体温の下限値）を読み出す。ステップＳ５２５では、読み出された値を体温の閾値ｂに設定する。
【００５６】
このように、本実施形態では、ゆらぎ度の閾値は被測定者の過去の測定結果に基づいて設定する。また体温の閾値は、予め定められた値を用いる。
【００５７】
５．２  判定処理（ステップＳ５１２）の詳細
次に判定処理（ステップＳ５１２）の詳細について図５Ｃを用いて説明する。ステップＳ５３１では、算出されたゆらぎ度が閾値ａ以上であるか否かを判定する。算出されたゆらぎ度が閾値ａ以上であると判定された場合には、ステップＳ５３２に進み、測定された体温が、閾値ｂ以上であるか否かを判定する。測定された体温が閾値ｂ以上であると判定された場合には、ステップＳ５３４に進む。
【００５８】
ここで、ゆらぎ度が閾値ａ以上であるということは、副交感神経が優位な状態にあり、身体としてはリラックスした状態にあるといえる。更に、体温が閾値ｂ以上であるということは理想体温にあるといえる。したがって、ステップＳ５３４では、現在の被測定者は、“ほどよいリラックス状態にあり、バランスのとれた状態にある”と判定する。更に、ステップＳ５３５では、動画表示設定に“１”を設定する。
【００５９】
一方、ステップＳ５３２において、体温が閾値ｂより低いと判定された場合には、ステップＳ５３６に進む。
【００６０】
ここで、ゆらぎ度が閾値ａ以上であるということは、副交感神経が優位な状態にあり、身体としてはリラックスした状態にあるといえる。一方、体温が閾値ｂより低いということは、被測定者は低体温化傾向にあるといえる。したがって、ステップＳ５３６では、現在の被測定者は、“リラックス状態が継続し、生命活動自体も低下し、体温の低下を招いている傾向にある”と判定する。更に、ステップＳ５３７では、動画表示設定に“２”を設定する。なお、このような状態は、被測定者にとって望ましい状態とはいえず、被測定者は適度な運動を取り入れるなどして、健康を維持するようにしたほうがよいといえる。
【００６１】
一方、ステップＳ５３１において、ゆらぎ度が閾値ａより小さいと判定された場合には、ステップＳ５３３に進み、測定された体温が、閾値ｂ以上であるか否かを判定する。測定された体温が閾値ｂ以上であると判定された場合には、ステップＳ５３８に進む。
【００６２】
ここで、ゆらぎ度が閾値ａより小さいということは、交感神経が優位な状態にあり、身体としては緊張した状態にあるといえる。一方、体温が閾値ｂ以上であるということは理想体温にあるといえる。したがって、ステップＳ５３８では、現在の被測定者は、“ほどよい緊張状態にあり、バランスのとれた状態にある”と判定する。更に、ステップＳ５３９では、動画表示設定に“３”を設定する。
【００６３】
一方、ステップＳ５３３において、体温が閾値ｂより低いと判定された場合には、ステップＳ５４０に進む。
【００６４】
ここで、ゆらぎ度が閾値ａより小さいということは、交感神経が優位な状態にあり、身体としては緊張した状態にあるといえる。更に、体温が閾値ｂより低いということは、被測定者は低体温化傾向にあるといえる。したがって、ステップＳ５４０では、現在の被測定者は、“緊張状態の継続により、血流低下をまねき体温の低下を招いている傾向にある”と判定する。更に、ステップＳ５４１では、動画表示設定に“４”を設定する。
【００６５】
ステップＳ５４２では、ステップＳ５３４または５３６または５３８または５４０での判定結果をデータ表示部３０１に表示する。
【００６６】
このように本実施形態にかかる心拍ゆらぎ検出装置では、拍動のゆらぎのみならず、体温を考慮することで、リラックス状態か緊張状態かを判定するのみならず、リラックス状態が適度に継続しているのか、継続しすぎているのか、あるいは緊張状態が適度に継続しているのか、継続しすぎているのかといった“ゆらぎ状態の継続状況”をも判定することができる。この結果、被測定者の健康状態を総合的に判断することが可能となる。
【００６７】
６．プロットデータ保存処理（ステップＳ４０６）の詳細
図１０〜図１２を用いてプロットデータ保存処理（ステップＳ４０６）の詳細について説明する。測定が完了し、分布領域を示す線９０１と、目標達成度９０２、ゆらぎ度９０３、体温９０４、メッセージ９０５が表示されると、図１１に示すように、データ表示部３０１には、測定結果保存入力画面１１０１が表示される。測定結果保存入力画面１１０１には、保存ボタン１１０２とキャンセルボタン１１０３とが含まれる。保存ボタン１１０２は、被測定者が今回測定した測定結果の保存を指示するためのボタンである。キャンセルボタン１１０３は、今回測定した測定結果を保存しない旨の指示を入力するためのボタンである。
【００６８】
図１１において、保存ボタン１１０２が押下されると、図１０のステップＳ１００１では、今回測定時に設定された各種設定データをデータ記録部２１０に記録する。更に、ステップＳ１００２では、該設定データに対応付けて算出データ（ゆらぎ度９０３）ならびに体温測定データ（体温９０４）をデータ記録部２１０に記録する。なお、このとき、測定完了時の日時もあわせて記録する。
【００６９】
図１２は、プロットデータ保存処理によりデータ記録部２１０に記録された各種データ（日時、設定データ、算出データ、体温測定データ）の一例を示す図である。
【００７０】
同図において、１２０１はデータ番号であり、保存するデータごとに、保存する順序に従って昇順に付される。
【００７１】
１２０２は測定完了の日時である。１２０３から１２０７は、測定の際に被測定者が入力した設定データであり、１２０８は算出データである。具体的には、１２０８はゆらぎ度である。１２０９は体温測定データである。
【００７２】
７．動画表示処理（ステップＳ４０８）の詳細
図１３〜図１５を用いて動画表示処理（ステップＳ４０８）の詳細について説明する。プロットデータ保存処理（ステップＳ４０６）が完了すると（あるいは、プロットデータ保存処理がキャンセルされると）、図１３に示すように、データ表示部３０１には、動画表示指示入力画面１３０１が表示される。動画表示指示入力画面１３０１には、行うボタン１３０２とキャンセルボタン１３０３とが含まれる。行うボタン１３０２は、判定結果に応じた動画像の表示を指示するためのボタンである。キャンセルボタン１３０３は、動画像の表示を行わない旨の指示を入力するためのボタンである。
【００７３】
図１３において、行うボタン１３０２が押下されると、図１４のステップＳ１４０１では、現在設定されている動画表示設定を読み込む（図５Ｃに示すように、判定処理が実行されるごとに、１〜４のいずれかの値が動画表示設定値として設定される）。
【００７４】
ステップＳ１４０２では、読み込まれた動画表示設定に対応する動画像２２９を読み込む（つまり、判定結果に応じて表示される動画像が切り替えられる）。図１５（ａ）は、動画表示設定と動画像２２９との対応関係を示すテーブルである。各動画表示設定値には、それぞれ別々の動画像が対応している。なお、本実施形態における動画像とは、いずれも被測定者に適切な深呼吸を促すための動作が記録された動画像であり、インストラクタが所定のペースで深呼吸を行っている様子を撮像した動画像である。ただし、動画像ごとに深呼吸のペースが異なっているものとする。
【００７５】
図１５（ｂ）は、各動画表示設定値ごとに異なる動画像における、深呼吸のペースの変遷を示したグラフである。横軸は、動画像の表示を開始してからの経過時間（分）を示しており、縦軸は、動画像に映るインストラクタの深呼吸のペース（回／分）を示している。
【００７６】
同図に示すように、各動画表示設定値ごとに、最初の深呼吸のペースが異なっており、最終的に、同じ深呼吸のペースになる。つまり、被測定者の健康状態に応じて、被測定者に対して適切な深呼吸を促し、一定時間経過した後は、理想的な深呼吸のペースへと導く。なお、深呼吸のペースの表示ではなく、ストレッチ動作の表示を行うようにしてもよい。
【００７７】
８．トレンド表示処理（ステップＳ４０９）の詳細
図１６〜図１８を用いてトレンド表示処理（ステップＳ４０９）の詳細について説明する。
【００７８】
トレンド表示ボタン３０３が押下されると、図１７に示すトレンド表示方法選択画面１７００をデータ表示部３０１に表示する。
【００７９】
ステップＳ１６０１では、トレンド表示方法選択画面１７００において、被測定者が選択するトレンド表示方法を受け付ける。ステップＳ１６０２では、トレンド表示方法選択画面１７００において、「全データを時系列で表示」（１７０１）が選択されたか否かを判定する。
【００８０】
ステップＳ１６０２において、「全データを時系列で表示」（１７０１）が選択されたと判定された場合には、ステップＳ１６０３に進み、データ記録部２１０に記録された全てのゆらぎ度及び体温測定データを抽出する。ステップＳ１６０４では、ステップＳ１６０３にて抽出されたゆらぎ度及び体温測定データを時系列または昇順、降順にソートし、トレンドグラフとして表示する。
【００８１】
ステップＳ１６０２において、「全データを時系列で表示」（１７０１）が選択されなかったと判定された場合（つまり、「特定のデータを抽出して表示」（１７０２）が選択されたと判定された場合）には、ステップＳ１６０５に進む。
【００８２】
例えば、「特定のデータを抽出して表示」（１７０２）を選択した場合、被測定者は、例えば「特定のシチュエーション」（１７０３）、「特性の精神状態」（１７０４）、「特定の体調」（１７０５）、「特定の薬」（１７０６）のいずれか１つまたは複数を選択する。
【００８３】
なお、複数選択した場合には、それらの項目がすべて設定されたデータ番号のゆらぎ度及び体温測定データが抽出されることとなる。
【００８４】
そこで、ステップＳ１６０５では、当該選択された設定データが記録されたデータ番号に対応するゆらぎ度及び体温測定データをデータ記録部２１０より抽出する。ステップＳ１６０６では、当該抽出されたゆらぎ度及び体温測定データを時系列または昇順、降順ででソートし、ステップＳ１６０７において、トレンドグラフとして表示する。
【００８５】
図１８は、データ表示部３０１に表示されたトレンドグラフ（１８００はゆらぎ度のトレンドグラフ、１８０４は体温のトレンドグラフ）の一例を示す図である。横軸は例えば日時を示し、縦軸はゆらぎ度（％）または体温（℃）を示している。１８０１は、データ表示部３０１に表示されたゆらぎ度のトレンドグラフのうち最大値を、１８０３は、データ表示部３０１に表示されたゆらぎ度のトレンドグラフのうち最小値を、１８０２は、データ表示部３０１に表示されたゆらぎ度のトレンドグラフの平均値を、それぞれ示している。なお、横軸をシミュレーション、縦軸をゆらぎ度として表示しても良い。
【００８６】
図１６に戻る。ステップＳ１６０８では、表示されたトレンドグラフの特定箇所が被測定者により指定されたか否かを判定する。被測定者により指定されたと判定された場合には、ステップＳ１６０９に進み、当該指定されたゆらぎ度または体温に対応する設定データを読み出し、ステップＳ１６１０にて、当該読み出された設定データを吹き出し表示する。
【００８７】
図１９は、データ表示部３０１に表示されたトレンドグラフの特定箇所が指定された様子を示す図である。同図に示すように、十字キー３０５でカーソル１９０３を特定箇所に移すと、例えば、吹き出し（コメント等）が表示され（１９０１、１９０２）、当該特定箇所におけるゆらぎ度または体温に対応する設定データが表示される。
【００８８】
図１６に戻る。ステップＳ１６１１では、トレンド表示終了ボタン３０４が押下されたか否かを判定する。トレンド表示終了ボタン３０４が押下されたと判定された場合には、トレンド表示を終了し、ステップＳ１６０１においてトレンド表示方法選択画面１７００が表示される前の表示画面に戻る。
【００８９】
一方、ステップＳ１６１１において、トレンド表示終了ボタン３０４が押下されていないと判定された場合には、ステップＳ１６０８に戻る。
【００９０】
以上の説明から明らかなように、本実施形態では、拍動のゆらぎと体温とに基づいて、被測定者の健康状態を判定するとともに、被測定者のゆらぎを改善するための動作が記録された複数の動画像の中から、該判定結果に対応する動画像を選択して表示することとした。この結果、被測定者は、当該表示された動画像にあわせて動作することで、交感神経と副交感神経のバランスの乱れを改善することができるようになる。
【００９１】
［第２の実施形態］
上記第１の実施形態では、心拍のゆらぎ度と生体情報としての体温とに基づいて被測定者（女性）の健康状態を４つに区分し、それぞれの健康状態に適した動画像を表示することとしたが、本発明は特にこれに限られず、生体情報としての血圧についても適用できる。
【００９２】
例えば、被測定者の健康状態を判定するにあたり、脳波の検出結果を取り入れ、更に詳細に区分するようにしてもよい。
【００９３】
１．装置の機能構成
図２０は、本発明の第２の実施形態にかかる心拍ゆらぎ検出装置の機能構成を示す図である（生体情報検出手段としての体温計及び脳波検出器が接続された場合の機能構成を示している）。同図に示す各ブロックのうち、図２との相違点を中心に説明する。
【００９４】
２００１は脳波検出器であり、被測定者の脳波（α波）を検出し、電気信号を出力する。２００２はアンプであり、脳波検出器２００１より出力された電気信号を増幅するとともに、デジタル信号（以下、脳波測定データ）に変換する。
【００９５】
２００３は脳波入力処理部であり、アンプ２００２より出力された脳波測定データを受信するとともに、受信した脳波および算出された心拍数、ゆらぎ度を用いて被測定者が精神的にリラックスした状態にあるのか否かを示す心地よさ度を算出する。
【００９６】
２２３は表示処理部であり、図２の表示処理部と概ね同様の機能を有するが、図２の表示処理部との相違は、測定完了時に、体温測定データに加えて、脳波入力処理部２００３において算出された心地よさ度を表示する点にある。
【００９７】
２２４はデータ記録処理部であり、図２のデータ記録処理部と概ね同様の機能を有するが、図２のデータ記録処理部との相違は、算出されたデータとして、更に、心地よさ度をデータ記録部２１０に記録する点にある。
【００９８】
２２５はトレンド処理部であり、図２のトレンド処理部と概ね同様の機能を有するが、図２のトレンド処理部との相違は、データ記録部２１０に記録された心地よさ度を抽出し時系列または昇順、降順に配列する点にある。
【００９９】
２２９は判定処理部であり、算出された各種データ（ゆらぎ度、体温差、心地よさ度）に基づいて、被測定者の健康状態を判定する。
【０１００】
２．装置における処理の流れ（全体）
本実施形態にかかる心拍ゆらぎ検出装置における全体処理の流れを示すフローチャートは図４と同様であるため、ここでは説明を省略し、全体処理の流れを構成する各工程のうち、上記第１の実施形態と相違する点を中心に以下に説明する。
【０１０１】
３．測定処理（ステップＳ４０４）の詳細
図２１Ａ〜図２２を用いて、本実施形態にかかる心拍ゆらぎ検出装置における測定処理（ステップＳ４０４）の詳細について説明する。図２１Ａは、測定処理（ステップＳ４０４）の流れを示すフローチャートである。なお、図５Ａと同じ処理については同一の参照番号を付すこととし、説明は省略する（図５Ａとの相違点についてのみ説明する）。
【０１０２】
ステップＳ２１０１では、閾値ａ、ｂ、ｃを設定する。なお、閾値ａ、ｂ、ｃの設定処理の詳細な流れは後述する。
【０１０３】
ステップＳ５０５では、心拍検出処理部２２１、体温入力処理部２２７がそれぞれ心拍測定データおよび体温測定データを受信するほか、脳波入力処理部２００３が脳波測定データを受信する。
【０１０４】
ステップＳ２１０２では、ステップＳ５０５にて受信された脳波測定データとステップＳ５０６にて検出された心拍数とステップＳ５０９にて算出されたゆらぎ度とに基づいて、被測定者の心地よさ度を算出する。なお、心地よさ度の算出にあたっては下式を用いる。
(式１）心地よさ度＝Ａ×単位時間あたりの拍動数＋Ｂ×ばらつき＋Ｃ×脳波＋Ｄ
ただし、Ａ、Ｂ、Ｃ、Ｄは係数
ステップＳ２１０３では、ステップＳ５０５にて受信された体温測定データとステップＳ５０９にて算出されたゆらぎ度とステップＳ２１０２にて算出された心地よさ度とに基づいて、被測定者の状態を判定する（なお、判定処理の詳細は後述）。また、判定した被測定者の状態に対応するメッセージをデータ表示部３０１に表示する。
【０１０５】
３．１  閾値ａ、ｂ、ｃ設定処理（ステップＳ２１０１）の詳細
上記閾値ａ、ｂ、ｃ設定処理（ステップＳ２１０１）の詳細について図２１Ｂを用いて説明する（ただし、図５Ｂとの相違点を中心に説明する）。
【０１０６】
ステップＳ２１２１では、データ記録部２１０に予め記録されている心地よさ度の閾値を読み出す。ステップＳ２１２２では、読み出された値を心地よさ度の閾値ｃに設定する。
【０１０７】
このように、本実施形態では、ゆらぎ度の閾値は被測定者の過去の測定結果に基づいて設定する。また体温および心地よさ度の閾値は、予め定められた値を用いる。
【０１０８】
３．２  判定処理（ステップＳ２１０３）の詳細
次に判定処理（ステップＳ２１０３）の詳細について図２１Ｃを用いて説明する。ステップＳ５３１では、算出されたゆらぎ度が閾値ａ以上であるか否かを判定する。算出されたゆらぎ度が閾値ａ以上であると判定された場合には、ステップＳ２１３１に進む。
【０１０９】
ステップＳ２１３１では、測定された体温測定データを含む過去の基礎体温の高温期と低温期の差異を算出する。現在が高温期にある場合には、測定された体温を含む直近の高温期の体温の平均値と、その前の低温期の体温の平均値との差異を算出する。また、現在が低温期にある場合には、測定された体温を含む直近の低温期の体温の平均値と、その前の高温期の体温の平均値との差異を算出する。更に、算出された差異が閾値ｂ以上であるか否かを判定する。算出された差異が閾値ｂ以上であると判定された場合には、ステップＳ２１３３に進む。
【０１１０】
ステップＳ２１３３では、算出された心地よさ度が閾値ｃ以上であるか否かを判定する。算出された心地よさ度が閾値ｃ以上であると判定された場合には、ステップＳ２１３７に進む。
【０１１１】
ここで、ゆらぎ度が閾値ａ以上であるということは、副交感神経が優位な状態にあるといえる。更に、基礎体温の高温期と低温期との差異が閾値ｂ以上であるということは体調が良い状態にあるといえる。更に、心地よさ度が閾値ｃ以上であるということは、リラックスの感情が優位にあるといえる。したがって、ステップＳ２１３７では、現在の被測定者は、“精神面でのストレスは低く、体温にも影響していない”と判定する。なお、副交感神経優位になりすぎると、アレルギー、肥満の原因となるため注意が必要であることから、この時点で被測定者は、程よい緊張状態を取り入れたほうがよいといえる。
【０１１２】
更にステップＳ２１３８では、ステップＳ２１３７の判定結果に対応して、動画表示設定に“１”を設定する。
【０１１３】
一方、ステップＳ２１３３において、心地よさ度が閾値ｃより小さいと判定された場合には、ステップＳ２１３９に進む。
【０１１４】
ここで、心地よさ度が閾値ｃより小さいということは、被測定者はリラックス状態にないといえる。したがって、ステップＳ２１３９では、現在の被測定者は、“精神面でのストレスを感じている可能性がある”と判定する。なお、このような状態は、被測定者にとって望ましい状態とはいえず、被測定者は適度な運動を取り入れるなどして、健康を維持するようにしたほうがよいといえる。
【０１１５】
更にステップＳ２１４０では、ステップＳ２１３９の判定結果に対応して、動画表示設定に“５”を設定する。
【０１１６】
一方、ステップＳ２１３１において、基礎体温の高温期と低温期との差異が閾値ｂより小さいと判定された場合には、ステップＳ２１３４に進み、算出された心地よさ度が閾値ｃ以上であるであるか否かを判定する。算出された心地よさ度が閾値ｃ以上であると判定された場合には、ステップＳ２１４１に進む。
【０１１７】
ここで、ゆらぎ度が閾値ａ以上であるということは、副交感神経が優位な状態にあるといえる。一方、基礎体温の高温期と低温期との差異が閾値ｂより小さいということは、体調が正常なリズムでないといえる。一方、心地よさ度が閾値ｃ以上であるということはリラックスの感情が優位にあるといえる。したがって、ステップＳ２１４１では、“現在の被測定者は、精神面でのストレスは低いが女性ホルモンの働きに異常の可能性がある”と判定する。
【０１１８】
更にステップＳ２１４２では、ステップＳ２１４１の判定結果に対応して、動画表示設定に“２”を設定する。
【０１１９】
一方、ステップＳ２１３４において、心地よさ度が閾値ｃより小さいと判定された場合には、ステップＳ２１４３に進む。
【０１２０】
ここで、心地よさ度が閾値ｃより小さいということは、被測定者がリラックス状態にないといえる。したがって、ステップＳ２１４３では、“精神面でのストレスが体温異常に影響を及ぼしている可能性がある”と判定する。
【０１２１】
更にステップＳ２１４４では、ステップＳ２１４３の判定結果に対応して、動画表示設定に“６”を設定する。
【０１２２】
一方、ステップＳ５３１において、ゆらぎ度が閾値ａより小さいと判定された場合には、ステップＳ２１３２に進み、基礎体温の高温期と低温期との差異が閾値ｂ以上であるか否かを判定する。差異が閾値ｂ以上であると判定された場合には、ステップＳ２１３５に進む。
【０１２３】
ステップＳ２１３５では、算出された心地よさ度が閾値ｃ以上であるか否かを判定する。算出された心地よさ度が閾値ｃ以上であると判定された場合には、ステップＳ２１４５に進む。
【０１２４】
ここで、ゆらぎ度が閾値ａより小さいということは、交感神経が優位な状態にあるといえる。更に、基礎体温の高温期と低温期との差異が閾値ｂ以上であるということは体調が良い状態にあるといえる。更に、心地よさ度が閾値ｃ以上であるということは、リラックスの感情が優位にあるといえる。したがって、ステップＳ２１４５では、現在の被測定者は、“精神面でのストレスも低く、体温に影響を及ぼしていない”と判定する。
【０１２５】
更にステップＳ２１４６では、ステップＳ２１４５の判定結果に対応して、動画表示設定に“３”を設定する。
【０１２６】
一方、ステップＳ２１３５において、心地よさ度が閾値ｃより小さいと判定された場合には、ステップＳ２１４７に進む。
【０１２７】
ここで、心地よさ度が閾値ｃより小さいということは、被測定者がリラックス状態にないといえる。したがって、ステップＳ２１４７では、“精神面でのストレスを感じているが体温には影響していない”と判定する。
【０１２８】
更にステップＳ２１４８では、ステップＳ２１４８の判定結果に対応して、動画表示設定に“７”を設定する。
【０１２９】
一方、ステップＳ２１３２において、基礎体温の高温期と低温期との差異が閾値ｂより小さいと判定された場合には、ステップＳ２１３６に進み、算出された心地よさ度が閾値ｃ以上であるか否かを判定する。算出された心地よさ度が閾値ｃ以上であると判定された場合には、ステップＳ２１４９に進む。
【０１３０】
ここで、ゆらぎ度が閾値ａより小さいということは、交感神経が優位な状態にあるといえる。一方、基礎体温の高温期と低温期との差異が閾値ｂより小さいということは、体調が正常なリズムでないといえる。一方、心地よさ度が閾値ｃ以上であるということはリラックスの感情が優位にあるといえる。したがって、ステップＳ２１４９では、“精神面でのストレスは低いが女性ホルモンの働きに異常の可能性がある”と判定する。
【０１３１】
更にステップＳ２１５０では、ステップＳ２１４９の判定結果に対応して、動画表示設定に“４”を設定する。
【０１３２】
一方、ステップＳ２１３６において心地よさ度が閾値ｃより小さいと判定された場合には、ステップＳ２１５１に進む。
【０１３３】
ここで、心地よさ度が閾値ｃより小さいということは、被測定者はリラックス状態にないといえる。したがって、ステップＳ２１５１では、“精神面でのストレスが体温異常に影響を及ぼしている可能性がある”と判定する。
【０１３４】
更にステップＳ２１５２では、ステップＳ２１５１の判定結果に対応して、動画表示設定に“８”を設定する。
【０１３５】
ステップＳ２１５３では、ステップＳ２１３７、２１３９、２１４１、２１４３、２１４５、２１４７、２１４９、２１５１のいずれかで判定された判定結果をデータ表示部３０１に表示する。
【０１３６】
このように、本実施形態にかかる心拍ゆらぎ検出装置では、拍動のゆらぎと体温と心地よさ度とに基づいて、被測定者の健康状態を総合的に判定する。具体的には、基礎体温の高温期と低温期との差異の大きさに基づいて、被測定者の体調の良し悪しを判定し、体調が悪いと判定された場合、その原因が精神面のストレスによるものなのか、それ以外の原因によるものなのかを、拍動のゆらぎと心地よさ度とに基づいて判定する。
【０１３７】
また、被測定者の体調が良いと判定された場合でも、症状としてあらわれていないだけで実際は精神的なストレスを受けている可能性があるのか、あるいは、実際に精神的なストレス自体を受けていないのかを、拍動のゆらぎと心地よさ度とに基づいて判定する。これにより、被測定者は体調を崩す前に適切な対応をとることが可能となる。
【０１３８】
４．動画表示処理（ステップＳ４０８）の詳細
動画表示処理（ステップＳ４０８）の詳細は、上記第１の実施形態において図１３〜図１５を用いて説明したものと同じであるため、ここでは説明を省略する。ただし、本実施形態の場合、判定処理（ステップＳ２１０３）における判定の結果、８通りの判定結果に区分けされるため、対応する動画像も８種類あるものとする。
【０１３９】
図２２は、本実施形態における動画表示設定と動画像２２９との対応関係を示すテーブルである。各動画表示設定値（２２０１）には、それぞれ別々の動画像（２２０２）が対応している。なお、本実施形態における動画像とは、いずれも被測定者に適切な深呼吸を促すための動作が記録された動画像であり、インストラクタが所定のペースで深呼吸を行っている様子を撮像したものである。ただし、動画像ごとに深呼吸のペースが異なっているものとする。深呼吸のペースの変遷は、図１５（ｂ）において既に例示したので、ここでは詳細説明を割愛する。
【０１４０】
以上の説明から明らかなように、本実施形態では、心拍とあわせて体温および脳波を測定し、拍動のゆらぎと基礎体温の差異と心地よさ度とに基づいて、被測定者の健康状態を判定するとともに、被測定者のゆらぎを改善するための動作が記録された複数の動画像の中から、該判定結果に対応する動画像を選択して表示する構成とした。この結果、被測定者は、当該表示された動画像にあわせて動作することで、交感神経と副交感神経のバランスの乱れを改善させることが可能となる。
【０１４１】
［第３の実施形態］
上記第１、第２の実施形態では、交感神経と副交感神経のバランスの乱れを改善するための手段として、深呼吸のペースの変遷を変える場合について説明したが、本発明は特にこれに限られない。判定結果に応じて、呼気と吸気とのバランスを切り替えたり、呼吸方法として腹式呼吸と胸式呼吸とを切り替えたりするようにしてもよい。
【０１４２】
また、判定結果に応じて切り替える対象は、呼吸に関するものに限られず、例えば、適切な運動内容等に関する動画像を表示するようにしてもよい。
【０１４３】
また、上記第１、第２の実施形態では、被測定者の交感神経と副交感神経とのバランスを改善するための動作を記録した動画像を表示することとしたが、本発明は特にこれに限られず、例えば、動作内容を文字で表示するようにしてもよいし、音声出力するようにしてもよい。
【図面の簡単な説明】
【０１４４】
【図１】本発明の第１の実施形態にかかる心拍ゆらぎ検出装置の外観構成を示す図である。
【図２】本発明の第１の実施形態にかかる心拍ゆらぎ検出装置の機能構成を示す図である。
【図３】表示／操作部２０５の画面例を示す図である。
【図４】本発明の第１の実施形態にかかる心拍ゆらぎ検出装置における処理の流れを示すフローチャートである。
【図５Ａ】測定処理（ステップＳ４０３）の処理の流れを示すフローチャートである。
【図５Ｂ】閾値設定処理（ステップＳ５０２）の処理の流れを示すフローチャートである。
【図５Ｃ】判定処理（ステップＳ５１２）の処理の流れを示すフローチャートである。
【図６】設定データ入力画面６０１が表示された様子を示す図である。
【図７】測定開始指示入力画面７０１が表示された様子を示す図である。
【図８】測定が開始された後のデータ表示部３０１の一例を示す図である。
【図９】ローレンツプロットデータのゆらぎ度を示す線９０１と、目標達成度９０２、ゆらぎ度９０３、体温９０４が表示された様子を示す図である。
【図１０】プロットデータ保存処理（ステップＳ４０６）の処理の流れを示すフローチャートである。
【図１１】測定結果保存入力画面１１０１が表示された様子を示す図である。
【図１２】プロットデータ保存処理によりデータ記録部２１０に記録された各種データを示す図である。
【図１３】動画表示指示入力画面が表示された様子を示す図である。
【図１４】動画表示処理（ステップＳ４０８）の流れを示すフローチャートである。
【図１５】動画表示設定と動画像との対応関係ならびに各動画像における深呼吸のペースの変遷を示す図である。
【図１６】トレンド表示処理（ステップＳ４０８）の処理の流れを示すフローチャートである。
【図１７】トレンド表示方法選択画面の一例を示す図である。
【図１８】データ表示部３０１に表示されたトレンドグラフの一例を示す図である。
【図１９】データ表示部に表示されたトレンドグラフの特定箇所が指定された様子を示す図である。
【図２０】本発明の第２の実施形態にかかる心拍ゆらぎ検出装置の機能構成を示す図である。
【図２１Ａ】測定処理（ステップＳ４０４）の流れを示すフローチャートである。
【図２１Ｂ】閾値ａ、ｂ、ｃ設定処理（ステップＳ２１０１）の処理の流れを示すフローチャートである。
【図２１Ｃ】判定処理（ステップＳ２１０３）の処理の流れを示すフローチャートである。
【図２２】本発明の第２の実施形態にかかる心拍ゆらぎ検出装置における、動画表示設定と動画像２２９との対応関係を示すテーブルである。
【図２３】心電波形に基づくローレンツプロット方法を説明するための図である。
【図２４】心電波形に基づくローレンツプロット方法を説明するための図である。
【図２５】ローレンツプロットの一例を示す図である。
【図１】
2008067860.tif 000003
【図２】
2008067860.tif 000004
【図３】
2008067860.tif 000005
【図４】
2008067860.tif 000006
【図５Ａ】
2008067860.tif 000007
【図５Ｂ】
2008067860.tif 000008
【図５Ｃ】
2008067860.tif 000009
【図６】
2008067860.tif 000010
【図７】
2008067860.tif 000011
【図８】
2008067860.tif 000012
【図９】
2008067860.tif 000013
【図１０】
2008067860.tif 000014
【図１１】
2008067860.tif 000015
【図１２】
2008067860.tif 000016
【図１３】
2008067860.tif 000017
【図１４】
2008067860.tif 000018
【図１５】
2008067860.tif 000019
【図１６】
2008067860.tif 000020
【図１７】
2008067860.tif 000021
【図１８】
2008067860.tif 000022
【図１９】
2008067860.tif 000023
【図２０】
2008067860.tif 000024
【図２１Ａ】
2008067860.tif 000025
【図２１Ｂ】
2008067860.tif 000026
【図２１Ｃ】
2008067860.tif 000027
【図２２】
2008067860.tif 000028
【図２３】
2008067860.tif 000029
【図２４】
2008067860.tif 000030
【図２５】
2008067860.tif 000031